(57)【要約】【課題】  高速縫製時においても、上糸が天秤糸案内部から外れることを防止できるミシンの天秤糸案内を提供する。【解決手段】  ミシンの天秤糸案内３において、上糸案内部１２の先端部１２ａの上糸供給方向における天秤側の側辺には、上糸Ｔの脱落を防止する脱落防止手段として、凸状部を形成することにより、糸暴れ発生時に、上糸Ｔが上糸案内部１２の先端方向へ滑り込むことを防止し、天秤糸案内から脱落しないように構成した。さらに、上糸案内部１２が螺旋状の構造になるように形成することにより、上糸Ｔが上糸案内部１２の先端方向へ滑り込むことを確実に防止し、天秤糸案内から脱落しないように構成した。【選択図】      図５
2009077914.tif 000002
【特許請求の範囲】
【請求項１】
天秤の近傍に配設され、基板に開口が形成された土台部と、前記土台部の周縁部に基端部が連接され、先端部を前記開口内に臨ませるように、環状に彎曲されている上糸案内部とを有するミシンの天秤糸案内において、
前記上糸案内部の前記先端部の上縁に、前記上糸の脱落を防止する脱落防止手段が形成されていることを特徴とするミシンの天秤糸案内。
【請求項２】
前記上糸案内部は、先端に至るにつれて上縁が次第に高くなるように上向きに螺旋状に彎曲して構成されていることを特徴とする請求項１に記載のミシンの天秤糸案内。
【請求項３】
前記脱落防止手段は、前記上糸案内部の先端部の上縁が先端に至るにつれて次第に高くなるように傾斜状に形成されて構成されていることを特徴とする請求項１または請求項２に記載のミシンの天秤糸案内。
【請求項４】
前記脱落防止手段は、前記上糸案内部の先端部の上縁に形成された凸状部とされていることを特徴とする請求項１または請求項２に記載のミシンの天秤糸案内。
【請求項５】
前記脱落防止手段は、前記上糸案内部の先端部に形成された円形状の凸状部とされていることを特徴とする請求項１または請求項２に記載のミシンの天秤糸案内。
【請求項６】
前記脱落防止手段は、前記上糸案内部の先端部に形成された扇形の凸状部とされていることを特徴とする請求項１または請求項２に記載のミシンの天秤糸案内。
【請求項７】
天秤の近傍に配設され、基板に開口が形成された土台部と、前記土台部の周縁部に基端部が連接され、先端部を前記開口内に臨ませるように、環状に彎曲されている上糸案内部とを有するミシンの天秤糸案内において、
前記上糸案内部は、先端に至るにつれて上縁が次第に高くなるように上向きに螺旋状に彎曲して構成されていることを特徴とするミシンの天秤糸案内。
【発明の詳細な説明】
【技術分野】
【０００１】
本発明は、ミシンの天秤糸案内に係り、特に、係止している上糸の脱落を防止するようにしたミシンの天秤糸案内に関する。
【背景技術】
【０００２】
従来のミシンの上糸供給源から針７までの上糸供給経路には、上糸供給源から針方向に順に、糸調子器１、Ｌ字糸案内２、天秤糸案内３Ａ、天秤４、天秤糸案内３Ｂ、アーム糸案内５、針糸案内６、針７が配列されている（特許文献１，図７）。
【０００３】
ここで、ミシンの上糸供給経路における天秤４の前後位置に配設された従来の天秤糸案内３（天秤糸案内３Ａ、３Ｂを総称して天秤糸案内３とする）は、図８（Ａ）、（Ｂ）に示すように、小判状の基板の中央部に開口１１を有した土台部９と、土台部９の周縁部にその基端部が連接された長尺な板状の上糸案内部１２とからなる。前記土台部９にはねじ穴１０が形成されており、天秤糸案内３は前記ねじ穴１０とねじにより、ミシン本体に取り付けられている。前記上糸案内部１２は、先端部１２ａが先細に形成されるか、あるいは、基端部及び中間部と同幅に形成されており、前記先端部１２ａを土台部９の開口１１内に臨ませるように環状に彎曲されることで、上糸供給経路を構成する天秤糸案内部１３を形成している。天秤糸案内の開口１１内には、上糸案内部１２の先端部１２ａ位置の外周に空隙部分が形成されており、縫製時の上糸掛け操作の際には、この空隙部分から上糸Ｔを潜らせて、天秤糸案内部１３に上糸Ｔを案内する構造になっている（特許文献２）。
【０００４】
【特許文献１】特開２００６−１７５１２８号公報
【特許文献２】実開平５−６８４８１号公報
【発明の開示】
【発明が解決しようとする課題】
【０００５】
ところで、ミシンの上下方向に往復動する天秤４が下方向（図７中の白矢印Ａ方向）へ運動した場合、天秤糸案内３Ａ，３Ｂの周辺で天秤４を通された上糸Ｔに弛みが生じる。例えば、最高縫製速度４，０００−５，０００ｒｐｍの高速ミシンにおいて天秤４が約１１０ｍｍのストロークを高速上下運動した場合、天秤糸案内３Ａ、３Ｂの周辺部には最大数十ｍｍのループＬが形成される（図８（Ａ））。そして、高速縫製時には、このループＬを構成する上糸Ｔが激しく揺動する、いわゆる糸暴れが起こる。このとき、上糸Ｔが上糸案内部１２の先端部方向（図８（Ａ）中の白矢印Ｂで示す方向）へ滑り込み、天秤４が上方向に引き上げられると同時に、開口１１内の空隙部分を通って天秤糸案内部１３から外れることがあった。特に、上糸供給方向における天秤４の直後位置に配設された天秤糸案内３Ｂでは、上糸Ｔが外れる現象が多くみられた。そして、上糸Ｔが天秤糸案内部１３から外れると、上糸供給経路が変わってしまい、目飛び、糸切れ、糸締りなどの不良現象が発生し、縫製品質の低下の要因となっていた。
【０００６】
そこで、本発明はこのような点に鑑み、高速縫製時においても、上糸が天秤糸案内部から外れることを防止できるミシンの天秤糸案内を提供することを目的としている。
【課題を解決するための手段】
【０００７】
前述した目的を達成するため、請求項１に係る本発明のミシンの天秤糸案内の特徴は、天秤の近傍に配設され、基板に開口が形成された土台部と、前記土台部の周縁部に基端部が連接され、先端部を前記開口内に臨ませるように、環状に彎曲されている上糸案内部とを有するミシンの天秤糸案内において、前記上糸案内部の前記先端部の上縁に、前記上糸の脱落を防止する脱落防止手段が形成されている点にある。このような構成を採用したことにより、前記糸暴れ発生時に、前記上糸が天秤糸案内から脱落することを防止できる。
【０００８】
また、請求項２に係る本発明のミシンの天秤糸案内の特徴は、請求項１に記載のミシンの天秤糸案内であって、前記上糸案内部は、先端に至るにつれて上縁が次第に高くなるように上向きに螺旋状に彎曲して構成されている点にある。このような構成を採用したことにより、上向きに彎曲された前記上糸案内部によって、前記糸暴れ発生時に、前記上糸が前記上糸案内部の先端方向へ滑り込むことを防止できる。
【０００９】
また、請求項３に係る本発明のミシンの天秤糸案内の特徴は、請求項１または請求項２に記載のミシンの天秤糸案内であって、前記脱落防止手段は、前記上糸案内部の先端部の上縁が先端に至るにつれて次第に高くなるように傾斜状に形成されて構成されている点にある。このような構成を採用したことにより、前記上糸案内部の傾斜状に形成された先端部の上縁によって、前記糸暴れ発生時に、前記上糸が前記上糸案内部の先端方向へ滑り込むことを防止できる。
【００１０】
また、請求項４に係る本発明のミシンの天秤糸案内の特徴は、請求項１または請求項２に記載のミシンの天秤糸案内であって、前記脱落防止手段は、前記上糸案内部の先端部の上縁に形成された凸状部とされている点にある。このような構成を採用したことにより、前記上糸案内部の先端部の上縁に形成された凸状部によって、前記糸暴れ発生時に、前記上糸が前記上糸案内部の先端方向へ滑り込むことを防止できる。
【００１１】
また、請求項５に係る本発明のミシンの天秤糸案内の特徴は、請求項１または請求項２に記載のミシンの天秤糸案内であって、前記脱落防止手段は、前記上糸案内部の先端部に形成された円形の凸状部とされている点にある。このような構成を採用したことにより、中間部に連接され、円弧を描いて膨出する前記上糸案内部の先端部の上縁によって、前記糸暴れ発生時に、前記上糸が前記上糸案内部の先端方向へ滑り込むことを防止できる。
【００１２】
また、請求項６に係る本発明のミシンの天秤糸案内の特徴は、請求項１または請求項２に記載のミシンの天秤糸案内であって、前記脱落防止手段は、前記上糸案内部の先端部に形成された扇形の凸状部とされている点にある。このような構成を採用したことにより、中間部に連接され、曲線状に膨出する前記上糸案内部の先端部の上縁によって、前記糸暴れ発生時に、前記上糸が前記上糸案内部の先端方向へ滑り込むことを防止できる。
【００１３】
また、請求項７に係る本発明のミシンの天秤糸案内の特徴は、天秤の近傍に配設され、基板に開口が形成された土台部と、前記土台部の周縁部に基端部が連接され、先端部を前記開口内に臨ませるように、環状に彎曲されている上糸案内部とを有するミシンの天秤糸案内において、前記上糸案内部は、先端に至るにつれて上縁が次第に高くなるように上向きに螺旋状に彎曲して構成されている点にある。このような構成を採用したことにより、上向きに彎曲された前記上糸案内部によって、前記糸暴れ発生時に、前記上糸が前記上糸案内部の先端方向へ滑り込むことを防止できる。
【発明の効果】
【００１４】
以上説明したように、請求項１ないし請求項７に係る本発明のミシンの天秤糸案内によれば、高速縫製時に前記糸暴れが発生しても、前記上糸が天秤糸案内から脱落することを防止できる。したがって、上糸供給経路が変わることによる目飛び、糸切れ、糸締りなどの不良現象を防止でき、縫製品質を向上させることが可能である。
【発明を実施するための最良の形態】
【００１５】
以下、本発明のミシンの天秤糸案内について、図面に示す第１実施形態ないし第５実施形態により説明する。本実施形態の天秤糸案内が配設されるミシンには、図７に示す従来のミシンと同様に、上糸供給源から針方向に順に、糸調子器１、Ｌ字糸案内２、天秤糸案内３Ａ、天秤４、天秤糸案内３Ｂ、アーム糸案内５、針糸案内６、針７が配列されている。
【００１６】
図１（Ａ）、（Ｂ）は、第１実施形態の上糸供給方向における天秤４の直後位置に配設された天秤糸案内３Ｂを示す図であり、図２（Ａ）、（Ｂ）は、同じく、前記天秤４の直前位置に配設された天秤糸案内３Ａを示す図である。第１実施形態に係る天秤糸案内３は、小判状の基板の中央部に開口１１を有した土台部９の前記開口１１に近接する周縁部であって、前記土台部９の幅方向における中央にその基端部が連接された長尺な板状の上糸案内部１２を有している。前記土台部には、ねじ穴１０が形成されており、天秤糸案内３は、前記ねじ穴１０とねじによりミシン本体に取り付けられている。前記上糸案内部１２の先端部１２ａの上糸供給方向における天秤側の側辺には、上糸Ｔの脱落を防止する脱落防止手段として、前記中間部の側辺に連続する傾斜部１２ｂを有する凸状部を有している。すなわち、上糸案内部１２の先端部１２ａは、上糸案内部１２の中間部における先端部１２ａが連接された部分の上下方向幅よりも幅広に形成されているとともに、上糸供給方向における天秤側の側辺に前記中間部の側辺に連続する傾斜部１２ｂを有する、脱落防止手段としての凸状部が形成されている。また、上糸案内部１２は、先端部１２ａを土台部９の開口１１内に臨ませるように環状に彎曲されることで、天秤糸案内部１３を形成している。
【００１７】
図３（Ａ）、（Ｂ）は、第２実施形態に係る天秤糸案内３（図３（Ａ）、（Ｂ）中には天秤糸案内３Ｂを示す）を示す図である。第２実施形態の天秤糸案内３Ｂは、前記土台部９の前記開口１１に近接する周縁部であって、前記土台部９の幅方向における中央にその基端部が連接された長尺な板状の上糸案内部１２を有しており、前記上糸案内部１２の先端部１２ａは、上糸案内部１２の中間部の側辺に連続して円形に形成されており、上糸Ｔの脱落を防止する脱落防止手段として、前記中間部の側辺に連続した円形の凸状部が形成されている。すなわち、先端部１２ａは、上糸案内部１２の中間部の該先端部１２ａが連接された部分の上下方向幅よりも大径の直径を有する円が形成され、上糸供給方向における天秤側の側辺に、脱落防止手段としての円弧状の凸状部が形成されることになる。また、前記上糸案内部１２は、円形の先端部１２ａを土台部９の開口１１内に臨ませるように環状に彎曲されることで、天秤糸案内部１３を形成している。
【００１８】
図４（Ａ）、（Ｂ）は、第３実施形態に係る天秤糸案内３（図４（Ａ），（Ｂ）中には天秤糸案内３Ｂを示す）を示す図である。第３実施形態の天秤糸案内３Ｂは、前記土台部９の前記開口１１に近接する周縁部であって、前記土台部９の幅方向における中央にその基端部が連接された長尺な板状の上糸案内部１２を有しており、前記上糸案内部１２の先端部１２ａは、上糸案内部１２の中間部の側辺に連続して扇形に形成されており、上糸Ｔの脱落を防止する脱落防止手段として、前記中間部の側辺に連続した扇形の側縁からなる凸状部が形成されている。すなわち、先端部１２は、上糸案内部１２の中間部の該先端部１２ａが連接された部分の上下方向幅よりも幅広な扇形に形成され、上糸供給方向における天秤側の側辺に、脱落防止手段しての扇形の凸状部が形成されている。したがって、前記先端部１２ａは中間部側から先端方向へ向かって拡開する扇面状に形成されている。また、前記上糸案内部１２は、先端部１２ａを土台部９の開口１１内に臨ませるように環状に彎曲されることで、天秤糸案内部１３を形成している。
【００１９】
図５は、第４実施形態に係る天秤糸案内３（図５中には天秤糸案内３Ｂを示す）を示す図である。第４実施形態の天秤糸案内３Ｂは、展開状態を第１実施形態と同様の構成とし、上糸案内部１２の先端部１２ａの上糸供給方向における天秤側の側辺に、脱落防止手段としての凸状部を有している。さらに、本実施形態において、前記上糸案内部１２は、先端に至るにつれて上糸供給方向における天秤側の側辺が、次第に高くなるように上向きに彎曲して、先端部１２ａを土台部９の開口１１内に臨ませることで、天秤糸案内１３を形成している。すなわち、先端部１２ａが前記基端部よりも上糸供給方向における天秤側に位置するように、螺旋の環状に彎曲されることで、天秤糸案内部１３を形成している。
【００２０】
図６は、第５実施形態に係る天秤糸案内３（図６中には天秤糸案内３Ｂを示す）を示す図である。第５実施形態の天秤糸案内３Ｂは、展開状態を従来と同様の構成を有するものとし、上糸案内部１２は、先端に至るにつれて上糸供給方向における天秤側の側辺が、次第に高くなるように上向きに彎曲して形成されている。すなわち、先端部１２ａが前記基端部よりも上糸供給方向における天秤側に位置するように、螺旋状に彎曲されることで、天秤糸案内部１３を形成している。
【００２１】
そして、このように構成された第１実施形態ないし第３実施形態の天秤糸案内３によれば、上糸案内部１２の先端部１２ａを、上糸供給方向における天秤側の側辺に、脱落防止手段として、前記中間部の側辺に連続させて立ち上がる辺を形成して、前記先端部が連接される中間部の上下方向幅よりも幅広に形成することで、天秤４が下方向（図７中の白矢印Ａ方向）に運動した時に形成されるループＬの上糸Ｔが糸暴れしても、上糸案内部１２の先端部１２ａの上糸供給方向における天秤側の側辺に形成された脱落防止手段によって、上糸Ｔが上糸案内部１２の先端方向（図１（Ａ）、図２（Ａ）、図３（Ａ）、図４（Ａ）中、白矢印Ｂで示す方向）へ滑り込むことを防止できる。これにより、天秤４が上方向に引き上げられると同時に、開口１１内の空隙部分を通って天秤糸案内部１３から脱落することを防止できる。
【００２２】
また、第４実施形態および第５実施形態の天秤糸案内３によれば、さらに、上糸案内部１２は、先端に至るにつれて上糸供給方向における天秤側の側辺が、次第に高くなるように上向きに螺旋状に彎曲されていることによって、糸暴れ発生時に上糸Ｔが上糸案内部１２の先端方向（図５、図６中、白矢印Ｂで示す方向に）へ滑り込むことを防止できる。これにより、天秤４が上方向に引き上げられると同時に、開口１１内の空隙部分を通って天秤糸案内部１３から脱落することを確実に防止できる。
【００２３】
したがって、第１実施形態ないし第５実施形態に係る天秤糸案内３によれば、上糸供給経路が変わることによる目飛び、糸切れ、糸締りなどの不良現象を防止でき、縫製品質を向上させることが可能である。
【００２４】
なお、本発明は前記実施形態に限定されるものではなく、必要に応じて種々変更できるものとする。例えば、土台部９や開口１１の形状、ねじ穴１０の個数や位置等は前述の実施形態に限定されない。また、土台部９に対する上糸案内部１２の連接位置も前述の実施形態に限定されない。さらには、天秤糸案内３のミシンに対する固定方法も、ねじを用いた固定方法に限らず、他の固定部材を利用してミシン本体に固定することも可能である。また、土台部および上糸案内部の材料は限定されず、例えば、金属材料や樹脂材料を用いることができる。
【図面の簡単な説明】
【００２５】
【図１】本発明の第１実施形態に係るミシンの天秤糸案内の斜視図（Ａ）と展開正面図（Ｂ）
【図２】本発明の第１実施形態に係るミシンの天秤糸案内の斜視図（Ａ）と展開正面図（Ｂ）であり、図１と逆向きの図
【図３】本発明の第２実施形態に係るミシンの天秤糸案内の斜視図（Ａ）と展開正面図（Ｂ）
【図４】本発明の第３実施形態に係るミシンの天秤糸案内の斜視図（Ａ）と展開正面図（Ｂ）
【図５】本発明の第４実施形態に係るミシンの天秤糸案内の斜視図
【図６】本発明の第５実施形態に係るミシンの天秤糸案内の斜視図
【図７】従来のミシンの要部を示す斜視図
【図８】従来のミシンの天秤糸案内の斜視図（Ａ）と展開正面図（Ｂ）
【符号の説明】
【００２６】
Ｔ  上糸
Ｌ  ループ
１  糸調子器
２  Ｌ字糸案内
３Ａ、３Ｂ  天秤糸案内
４  天秤
５  アーム糸案内
６  針糸案内
７  針
８  部材（従来の天秤糸案内３B）
９  土台部
１０  ねじ穴  
１１  開口
１２  上糸案内部
１２ａ  先端部
１２ｂ  傾斜部
１３  天秤糸案内部
【図４】
2009077914.tif 000003
【図７】
2009077914.tif 000004
【図８】
2009077914.tif 000005
【図１】
2009077914.tif 000006
【図２】
2009077914.tif 000007
【図３】
2009077914.tif 000008
【図５】
2009077914.tif 000009
【図６】
2009077914.tif 000010